(57)【要約】    【課題】容器の表面に剥離可能な目隠し部材を施すことにより、意外性や籤感覚で楽しめる携帯ライターを提供すること    【解決手段】燃料タンク２、着火部５及び把持部とを有する携帯ライターであって、内部構造が見えるような透明または半透明の材質からなる容器１によって燃料タンク２または把持部を形成し、この燃料タンク２または把持部内にミニチュア人形または画像シールの装飾物３を内蔵し、この内蔵する装飾物が外側から見えないように剥離可能な目隠しフィルム４が前記燃料タンク又は把持部の外表面に施してある携帯ライターの構成である【選択図】  図１
0003102999.tif 000002
【実用新案登録請求の範囲】
【請求項１】
燃料タンク、着火部及び把持部とを有する携帯ライターにおいて、内部構造が見えるような透明または半透明の材質からなる容器によって燃料タンクまたは把持部を形成し、この燃料タンクまたは把持部内にミニチュア人形または画像シールの装飾物を内蔵し、この内蔵する装飾物が外側から見えないように剥離可能な目隠し包装用フィルムが前記燃料タンク又は把持部の外表面に施してあることを特徴とする携帯ライター。
【請求項２】
燃料タンク、着火部及び把持部とを有する携帯ライターにおいて、内部構造が見えるような透明または半透明の材質からなる容器によって燃料タンクまたは把持部を形成し、この燃料タンクまたは把持部内にミニチュア人形または画像シールの装飾物を内蔵し、この内蔵する装飾物が外側から見えないように剥離可能な目隠しの包装用フィルムを容器表面に巻回してなり、購入時または手にしたときに前記包装用フィルムを剥がして内部のミニチュア人形または画像シールをはじめて見ることができることを特徴とする携帯ライター。
【考案の詳細な説明】
【技術分野】
【０００１】
本考案は、容器の燃料タンクなどの内部に漫画やゲームのミニチュア人形等の装飾物が内蔵され、この容器表面に目隠しのフィルムシートが施してある携帯ライターに関し、特に、店頭においては内部の装飾物が視認することができない携帯ライターに関する。
【背景技術】
【０００２】
ガスライターなどの容器の表面に取扱い説明書や規格合格証シールなどを貼着したものが知られている。これらは使用に際して興味を抱かせるものではなかった。また、容器の表面に表示体を貼付するものも知られている（特許文献１）。実用新案登録第３０８５３１０号公報（特許文献２）に記載されるように容器の表面に内部燃料量を確認できる装飾シールを貼着したものもある。
【０００３】
しかし、これらは燃料タンクの燃料量を視認するためのシールである。このようなシールとして模様のあるものなどもあるが、利用者が購入するときに希望する絵柄を指定するものである。
容器の表面に当り籤を印刷又は貼付し、その当り籤の表示を隠蔽するシールや金属箔の隠し塗料を塗りつけたライターが知られている（特許文献３）。
【０００４】
このようにこのように構成された従来のライターは、容器の外側に説明用のシールを貼り付けたものである。
【０００５】
【特許文献１】実開昭５６−１２８９５３号公報図面
【特許文献２】実用新案登録第３０８５３１０号公報図面
【特許文献３】実開昭５９−１７０７５６号公報
【考案の開示】
【０００６】
上述した特許文献１または特許文献２は容器の表面に装飾シールを予め貼り付けたものであり、燃料タンクの量を確認するための窓を備えたものである。また、特許文献３にいたってもライター容器の表面に籤シールを貼り付けたものであり、外側表面に貼付した表示部が摩擦などによって表面のシールが剥がれて見えなくなったり、消滅するものである。
また、ライターの容器内に打ち出の小槌や小判などの小さな彫刻物を内蔵したものもあるが、若者の興味を引くものではなく、余り変わり映えせず、消費者に感動を与えるものではなかった。
【０００７】
現在では、ライターなどのこの種の製品は多くの製造業者により製造され、外観は類似したものが多く、それぞれ他社製品との差別化は困難を来たしている。このような差別化を図る要因としてライターの形状やシールにゲームや動画などのキャラクター物の装飾性を重要視するようになっている。
本考案は、上述した従来の問題点に鑑み考案されたもので、ライター容器の内部にゲームやアニメ動画などのキャラクター人形等の装飾物を内蔵し、消費者が購買するとき内部が見えず、購入した後に包装用フィルムを剥がして内蔵した装飾物を確認でき、当たり籤や占いなどに類似した意外性の楽しめる携帯ライターを提供する。
また、本考案の課題は、容器の表面に目隠し部材を施すことにより、意外性や籤感覚で楽しめる携帯ライターを提供するもので、キャラクター製品のシリーズ物の数種類中からフィギュアを一個内蔵する携帯ライターを提供することである。
【０００８】
本考案の前記課題は、以下の構成によって達成できる。
燃料タンク、着火部及び把持部とを有する携帯ライターにおいて、内部構造が見えるような透明または半透明の材質からなる容器によって燃料タンクまたは把持部を形成し、この燃料タンクまたは把持部内に装飾物、例えば、ミニチュア人形または画像シール等の装飾物を内蔵し、この内蔵する装飾物が外側から見えないようにし、剥離可能な目隠し包装用フィルムが前記燃料タンク又は把持部の外表面に施してある携帯ライターの構成である。
【０００９】
更に内部構造が見えるような透明または半透明の材質からなる容器によって燃料タンクまたは把持部を形成し、この燃料タンクまたは把持部内に有名な動画のキャラクターのミニチュア人形（フィギュア）または画像シールの装飾物を内蔵し、この内蔵する装飾物が外側から見えないように剥離可能な目隠し包装用フィルムを容器表面に巻回し、消費者や購買者が購入したときに目隠しフィルムを剥がして内部の人形または画像シールをはじめて見ることができる携帯ライターの構成によって達成できる。
【００１０】
本考案の携帯ライターは、容器の内部にミニチュア人形や画像シールの装飾物を装填してあり、内部の装飾物を直接触ることがないから使用中に内部の装飾物がなくなることがない。しかも使用中の操作中に内部の人形の破壊を防止するために固定させることが好ましいが、自由に移動可能なようにしてあってもよい。
【００１１】
本考案の携帯ライターは、燃料タンク内の燃料が無くなった時は、この燃料タンク内に再度燃料（ガス）を従来の方法で充填可能な充填式携帯ライターに使用することができる。また、廉価な使い捨てライターの中に装飾物を入れ、表面に目隠し部材、例えば、印刷した包装用フィルムを巻回したものでもよい。
【００１２】
上述のように構成された携帯ライターは、ミニチュア人形や画像シールの装飾物が内蔵され、表面に目隠しフィルムが施してあるので、消費者が携帯ライターの購入時に内部装飾物を視認することができず、特に、容器の表面に目隠しフィルムを巻回してあることにより楽しい携帯ライターを提供できる。
上記構成によれば、若者に人気のあるミニチュア人形（フィギュア）を内蔵させることにより若者のゲーム感覚にアピールさせることができる。例えば、シリーズ物の動画人形（フィギュア）の十種類のフィギュアのなから１つを内蔵することにより、内部のフィギュアの種類を集めることができ、好みのフィギュアを当てる楽しみがある。
【考案を実施するための最良の形態】
【００１３】
本考案に係わる携帯ライターを実施するための最良の形態で図面を参照して説明する。
図１は本考案の携帯ライターの外観を示す斜視図である。図２は図１の携帯ライターの表面に目隠しフィルムを剥がした状態を示す斜視図である。
【００１４】
本考案に係る携帯ライターは、図１または図２に示すようなガス充填式ライターの携帯ガスライターの容器１は透明または半透明の合成樹脂物質（ポリプロピレン等）で型造りする。この容器の燃料タンク２内にミニチュア人形などの装飾物３を装填する。この容器１の上部に着火部５を装着する。容器１の燃料タンク２内に液体燃料を加圧して装填する。この容器１の表面に内部の装飾物３が見えないように目隠しフィルム４が巻回してある。この目隠しフィルム４は不透明材料の印刷物で、表面に模様、絵柄が施されたものである。例えば、シリーズ物の多数のフィギュアを印刷してある。
【００１５】
本考案においてはゲームセンターなどで人気のある装飾物などを携帯ライターの中に入れてあると若者の購買力を高めることが出来る。特に、目隠しフィルム４を施すことにより、中のフィギュアの種類が購入するときは見えないからゲーム感覚でライターを購入することが出来る。
本考案に使用する装飾人形の手足などが動くように形成した人形の場合、携帯ライターを振ることにより手足が動き面白く遊ぶことができる。
【図面の簡単な説明】
【００１６】
【図１】本考案に係る携帯ライターの外観を示す斜視図である。
【図２】図１の携帯ライターの表面に目隠しシールを剥がした状態を示す斜視図である。
【符号の説明】
【００１７】
１      容器
２      燃料タンク
３      装飾物
４      目隠しフィルム
５      着火部
【図１】
0003102999.tif 000003
【図２】
0003102999.tif 000004